(57)【要約】【課題】入浴者が背当て部に背中を当接させることで仰向けで寝るような体勢において、脚に負荷をかけることなく足裏を脚側面部に接触させることができる浴槽を提供する。【解決手段】入浴者が入浴可能な浴槽であって、傾斜した背側面部と、前記背側面部と向かい合う面である脚側面部と、を備え、前記脚側面部は、その左右方向において中央側が左右側より凸状に突出するように湾曲形成された凸部を有する。【選択図】図２
2019170532.tif 000002
【特許請求の範囲】
【請求項１】
入浴者が入浴可能な浴槽であって、
傾斜した背側面部と、前記背側面部と向かい合う面である脚側面部と、を備え、
前記脚側面部は、その左右方向において中央側が左右側より凸状に突出するように湾曲形成された凸部を有することを特徴とする浴槽。
【請求項２】
前記凸部は、上方に向かうにつれ左右方向の領域が小さくなるように形成されていることを特徴とする請求項１記載の浴槽。
【請求項３】
前記凸部は、上方に向かうにつれ前記背側面部から離れる方向へ傾斜するように形成されていることを特徴とする請求項１記載の浴槽。
【請求項４】
前記凸部は、上方に向かうにつれ徐々に曲率が小さくなるように形成されていることを特徴とする請求項１〜３のいずれか１つに記載の浴槽。
【請求項５】
前記脚側面部において、前記凸部より上方に位置する浴槽内壁は、左右方向において直線状もしくは凹状に形成されていることを特徴とする請求項４記載の浴槽。
【請求項６】
前記脚側面部は、前記凸部より下方において、前記背側面部へ向かって前記凸部より突出するように形成されたフットレスト部をさらに有し、
前記フットレスト部の前記背側面部と向かい合う内壁は、その左右方向において凹状に湾曲形成された凹部を有することを特徴とする請求項１〜５のいずれか１つに記載の浴槽。
【請求項７】
前記凸部は、前記脚側面部における前記凹部より上部の、左右方向における中央部分に形成されており、
前記凹部は、前記フットレスト部の前記内壁の、左右方向において前記凸部より左右端部側に形成されていることを特徴とする請求項６記載の浴槽。
【発明の詳細な説明】
【技術分野】
【０００１】
本発明は、浴槽に関する。
【背景技術】
【０００２】
傾斜している背当て部を備え、入浴者が背当て部に背中を当接させることで仰向けで寝るような体勢で入浴（寝浴）できるように形状を工夫した浴槽が知られている。このような浴槽においては、入浴者が仰向けになるように上体を倒した状態で入浴できるため、入浴時におけるリラクゼーション効果を高めることができる。このような浴槽において、背当て部の傾斜に沿って状態が下方へ落ち込み、入浴者の顔が水面より下へ沈んでしまうことを抑制するために、入浴者は、浴槽の背当て部と対面する面である脚当て部に足の裏を当て、この沈み込みを抑制することが考えられる。
【先行技術文献】
【特許文献】
【０００３】
【特許文献１】特開平１１−２１６０７６号公報
【特許文献２】特開２０１０−２５３０６６号公報
【発明の概要】
【発明が解決しようとする課題】
【０００４】
一方で、一般的に男性は女性と比べ背が高いので、膝を曲げて脚当て部に足の裏を当てることになる。この際、男性の筋骨格構造上、足裏の当て方によってどうしても下半身に負荷がかかり、本来目的としていた入浴時におけるリラクゼーション効果が損なわれてしまうといった問題がある。
【０００５】
そこで、本発明は、入浴者が背当て部に背中を当接させることで仰向けで寝るような体勢において、脚に負荷をかけることなく足裏を脚側面部に接触させることができる浴槽を提供する。
【課題を解決するための手段】
【０００６】
第１の発明の浴槽は、入浴者が入浴可能な浴槽であって、傾斜した背側面部と、前記背側面部と向かい合う面である脚側面部と、を備え、前記脚側面部は、その左右方向において中央側が左右側より凸状に突出するように湾曲形成された凸部を有することを特徴とする。  
第１の発明によれば、男性は膝を曲げると脚が「Ｏ脚」状になりやすいことに着目し、一般的に背丈の高い男性が寝浴状態において足の裏を当てるための脚側面部を凸状に形成することで、寝浴状態の男性の脚が「Ｏ脚」状となった状態でも、脚に負荷をかけることなく足裏を脚側面部に接触させやすくできる。  
第２の発明は、第１の発明において、前記凸部は、上方に向かうにつれ左右方向の領域が小さくなるように形成されていることを特徴とする。  
第２の発明によれば、脚が「Ｏ脚」状となった状態で足裏を凸状領域に接触させた際にも、足首が足の脛側へ大きく曲がってしまうことを抑制でき、男性の足首にかかる負担を小さくできる。  
第３の発明は、第１の発明において、前記凸部は、上方に向かうにつれ前記背側面部から離れる方向へ傾斜するように形成されていることを特徴とする。  
第３の発明によれば、脚が「Ｏ脚」状となった状態で足裏を凸状領域に接触させた際にも、足首が足の脛側へ大きく曲がってしまうことを抑制でき、男性の足首にかかる負担を小さくできる。  
第４の発明は、第１〜第３の発明のいずれか１つにおいて、前記凸部は、上方に向かうにつれ徐々に曲率が小さくなるように形成されていることを特徴とする。  
第４の発明によれば、仮に入浴者が脚側面部側に背中を当てて入浴してしまった際にも、腰より上方にある背中部分に対して浴槽内壁が点状に当接してしまうことを抑制でき、快適に入浴できる。したがって、男性入浴者の足首にかかる負担を小さくできつつも、入浴者が脚側面部側に背中を当てて入浴してしまった際の入浴快適性も保持することができる。  
第５の発明は、第４の発明において、前記脚側面部において、前記凸部より上方に位置する浴槽内壁は、左右方向において直線状もしくは凹状に形成されていることを特徴とする。  
第５の発明によれば、仮に入浴者が脚側面部側に背中を当てて入浴してしまった際にも、腰より上方にある背中部分に対して浴槽内壁が点状に当接してしまうことを抑制でき、快適に入浴できる。したがって、男性入浴者の足首にかかる負担を小さくできつつも、入浴者が脚側面部側に背中を当てて入浴してしまった際の入浴快適性も保持することができる。  
第６の発明は、第１〜第５の発明のいずれか１つにおいて、前記脚側面部は、前記凸部より下方において、前記背側面部へ向かって前記凸部より突出するように形成されたフットレスト部をさらに有し、前記フットレスト部の前記背側面部と向かい合う内壁は、その左右方向において凹状に湾曲形成された凹部を有することを特徴とする。  
第６の発明によれば、女性は膝を曲げると脚が「Ｘ脚」状になりやすいことに着目し、一般的に背丈の低い女性が寝浴状態において足の裏を当てるためのフットレスト部の内壁を凹状に形成することで、脚に負荷をかけることなく、女性の脚が「Ｘ脚」状となった状態での足裏を接触させやすくできる。  
第７の発明は、第６の発明において、前記凸部は、前記脚側面部における前記凹部より上部の、左右方向における中央部分に形成されており、前記凹部は、前記フットレスト部の前記内壁の、左右方向において前記凸部より左右端部側に形成されていることを特徴とする。  
男性が膝を曲げた際には、脚が「Ｏ脚」状となるため、左右の足のかかと同士が近づき、足裏は脚側面部の左右方向において中央近傍に配置される。一方、女性が膝を曲げた際には、脚が「Ｘ脚」状となるため、左右の足のかかと同士が離れ、足裏は脚側面部の左右方向において左右端近傍に配置される。  
第７の発明によれば、凸部を脚側面部における左右方向の中央部分に形成し、且つ凹部をフットレスト部の左右方向において凸部より左右端部側に形成することで、男女共に自然な体勢で、足裏を脚側面部に接触させやすくできる。
【発明の効果】
【０００７】
本発明によれば、入浴者が背当て部に背中を当接させることで仰向けで寝るような体勢で入浴（寝浴）したときの高いリラクゼーション効果が得られる。
【図面の簡単な説明】
【０００８】
【図１】本発明の実施形態に係る浴槽の斜視図。
【図２】本発明の実施形態に係る浴槽の横断面図。
【図３】本発明の実施形態に係る浴槽の脚側面部の正面図。
【図４】図３におけるＡ−Ａ断面図。
【図５】（ａ）及び（ｂ）は、本発明の実施形態に係る浴槽の長手方向に沿った断面図。
【図６】（ａ）は、寝浴状態の男性が足裏を脚側面部の上段側の内壁に接触させた様子を表す模式平面図であり、（ｂ）は、寝浴状態の女性が足裏を脚側面部の下段側のフットレスト部の内壁に接触させた様子を表す模式平面図。
【図７】図４と同様の断面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の実施形態に係る浴槽１の斜視図である。  
図２は、水平面に沿った浴槽１の横断面図である。図２は、例えば底面からの高さが２５０ｍｍの位置での横断面図である。
【００１１】
浴槽１は、底面部１０と、背側面部２０と、脚側面部３０と、２つの側面部５０とを有する。背側面部２０と脚側面部３０とは互いに向かい合っている。２つの側面部５０は、互いに向かい合い、底面部１０、背側面部２０、および脚側面部３０に隣接している。
【００１２】
背側面部２０と脚側面部３０との間の距離は、２つの側面部５０の間の距離より長い。２つの側面部５０が延びる方向を浴槽１の長手方向とする。背側面部２０および脚側面部３０が延びる方向を浴槽の左右方向とする。
【００１３】
図３は、脚側面部３０の正面図である。  
図４は、図３におけるＡ−Ａ断面図である。  
図５（ａ）及び（ｂ）は、浴槽１の長手方向に沿った断面図である。図５（ａ）は浴槽１に男性１０１が入浴した様子を表し、図５（ｂ）は浴槽１に女性１０２が入浴した様子を表す。
【００１４】
図５（ａ）及び（ｂ）に示すように、背側面部２０は、脚側面部３０から離れる方向に傾斜している。
【００１５】
図２〜図４に示すように、脚側面部３０は、凸部３１を有する。図３において凸部３１の領域をクロスハッチングで示す。
【００１６】
図２に示すように、凸部３１は、左右方向において中央側が左右側より背側面部２０に向かって凸状に突出するよう湾曲形成されている。
【００１７】
図３に示すように、凸部３１は、上方に向かうにつれ左右方向の領域が小さくなるように形成されている。
【００１８】
図４に示すように、凸部３１は、上方に向かうにつれ背側面部２０から離れる方向へ傾斜するように形成されている。その傾斜した部分は例えば湾曲しており、凸部３１は上方に向かうにつれ徐々に曲率が小さくなるように形成されている。
【００１９】
脚側面部３０において、凸部３１より上方に位置する浴槽内壁は、左右方向において直線状もしくは凹状に形成されている。図１に示す例では、凸部３１より上方に位置する浴槽内壁は、左右方向において凹状に形成されている。
【００２０】
図２、図４に示すように、脚側面部３０は、凸部３１より下方において、背側面部２０へ向かって凸部３１より突出するように形成されたフットレスト部４０をさらに有する。すなわち、脚側面部３０と底面部１０との間にステップが形成されている。
【００２１】
フットレスト部４０の背側面部２０と向かい合う内壁は、図２に示すように、その左右方向において凹状に湾曲形成された凹部４１を有する。また、凹部４１は、図４に示すように、上下方向においても凹状に湾曲している。
【００２２】
凸部３１は、脚側面部３０における凹部４１より上部の、左右方向における中央部分に形成されている。図２に示すように、凹部４１は、フットレスト部４０の内壁の、左右方向において凸部３１より左右端部側にも形成されている。すなわち、凹部４１が形成された領域は、凸部３１が形成された領域よりも左右方向に広がっている。
【００２３】
凸部３１の曲率は、凹部４１の曲率より小さい。凹部４１の左右方向の中央における高さ（上下方向の寸法）は、凸部３１の左右方向の中央におけるフットレスト部４０上面からの高さ（上下方向の寸法）より大きい。
【００２４】
図５（ａ）及び（ｂ）に示すように、入浴者１０１、１０２は、傾斜した背側面部２０に背中を当てることで仰向けで寝るような体勢で入浴（寝浴）することができる。この体勢において、入浴者１０１、１０２は足裏を脚側面部３０に当てることで、顔が水面より下へ沈み込んでしまうことを抑制する。
【００２５】
一般的に女性よりも背丈の高いまたは脚が長い男性１０１は、図５（ａ）に示すように、足裏を脚側面部３０の上段側の内壁に接触させることになり、男性よりも背丈の低いまたは脚が短い女性１０２は、図５（ｂ）に示すように、足裏を脚側面部３０の下段側のフットレスト部４０に接触させることになる。男性１０１も女性１０２も膝を曲げて、足裏を脚側面部３０に接触させる。
【００２６】
図６（ａ）は、寝浴状態の男性１０１が足裏を脚側面部３０の上段側の内壁に接触させた様子を表す模式平面図であり、図６（ｂ）は、寝浴状態の女性１０２が足裏を脚側面部３０の下段側のフットレスト部４０の内壁に接触させた様子を表す模式平面図である。
【００２７】
出願人は、男性１０１は膝を曲げると筋骨格上、図６（ａ）に示すように、「Ｏ脚」状になりやすいという点に着目した。そこで、実施形態によれば、一般的に背丈の高い男性１０１が寝浴状態において足の裏を当てるための脚側面部３０を凸状に形成することで、寝浴状態の男性１０１の脚が「Ｏ脚」状となった状態でも、脚に負荷をかけることなく足裏を脚側面部３０に接触させやすくできる。
【００２８】
すなわち、脚が「Ｏ脚」状となった状態においては、左右の足（足首より先の部分）が「ハ」の字状に開き、凹形状の土踏まずの部分に凸部３１をあてがうように、足裏を凸部３１の湾曲形状に沿わせて脚側面部３０に当てることができる。入浴者（男性）１０１は、「Ｏ脚」状となった状態において必要以上に足首を折り曲げなくて済み、自然な（楽な）体勢をとることが可能となる。
【００２９】
図３に示すように、凸部３１は、上方に向かうにつれ左右方向の領域が小さくなるように形成されているので、脚が「Ｏ脚」状となった状態で足裏を凸状領域に接触させた際にも、足の指側の部分が凸部３１に押し返されずに、足首が足の脛側へ大きく曲がってしまうことを抑制でき、男性１０１の足首にかかる負担を小さくできる。
【００３０】
図４に示すように、凸部３１は、上方に向かうにつれ背側面部２０から離れる方向へ傾斜するように形成されている。このことによっても、脚が「Ｏ脚」状となった状態で足裏を凸状領域に接触させた際にも、足の指側の部分が凸部３１に押し返されずに、足首が足の脛側へ大きく曲がってしまうことを抑制でき、男性１０１の足首にかかる負担を小さくできる。
【００３１】
図７は、図４と同様の脚側面部３０の断面図であり、入浴者１００が脚側面部３０側に背中を当てて入浴してしまった様子を表す。
【００３２】
凸部３１は上方に向かうにつれ徐々に曲率が小さくなるように形成されているため、図７に示すように仮に入浴者１００が脚側面部３０側に背中を当てて入浴してしまった際にも、腰より上方にある背中部分に対して浴槽内壁が点状に当接してしまうことを抑制でき、快適に入浴できる。したがって、男性入浴者の足首にかかる負担を小さくできつつも、入浴者１００が脚側面部３０側に背中を当てて入浴してしまった際の入浴快適性も保持することができる。
【００３３】
脚側面部３０において、凸部３１より上方に位置する浴槽内壁は左右方向において直線状もしくは凹状に形成されている（図１には凹状に湾曲した例を示す）。このことによっても、図７に示すように仮に入浴者１００が脚側面部３０側に背中を当てて入浴してしまった際にも、腰より上方にある背中部分に対して浴槽内壁が点状に当接してしまうことを抑制でき、快適に入浴できる。したがって、男性入浴者の足首にかかる負担を小さくできつつも、入浴者１００が脚側面部３０側に背中を当てて入浴してしまった際の入浴快適性も保持することができる。
【００３４】
また、出願人は、図６（ｂ）に示すように、女性１０２は膝を曲げると筋骨格上「Ｘ脚」状になりやすいという点に着目した。そこで実施形態によれば、一般的に背丈の低い女性１０２が寝浴状態において足の裏を当てるためのフットレスト部４０の内壁を凹状に形成することで、脚に負荷をかけることなく、女性の脚が「Ｘ脚」状となった状態での足裏を接触させやすくできる。
【００３５】
男性１０１が膝を曲げた際には、脚が「Ｏ脚」状となるため、左右の足のかかと同士が近づき、足裏は脚側面部３０の左右方向において中央近傍に配置される。一方、女性１０２が膝を曲げた際には、脚が「Ｘ脚」状となるため、左右の足のかかと同士が離れ、足裏は脚側面部３０のフットレスト部４０の左右方向において左右端近傍に配置される。
【００３６】
したがって、凸部３１を脚側面部３０の上段における左右方向の中央部分に形成し、且つ凹部４１を脚側面部３０の下段のフットレスト部４０の左右方向において凸部３１より左右端部側に形成することで、男女共に自然な体勢で、足裏を脚側面部３０に接触させやすくできる。
【００３７】
以上、具体例を参照しつつ本発明の実施形態について説明した。しかし、本発明は、それらに限定されるものではなく、本発明の技術的思想に基づいて種々の変形が可能である。
【符号の説明】
【００３８】
１…浴槽、１０…底面部、２０…背側面部、３０…脚側面部、３１…凸部、４０…フットレスト部、４１…凹部、５０…側面部
【図１】
2019170532.tif 000003
【図２】
2019170532.tif 000004
【図３】
2019170532.tif 000005
【図４】
2019170532.tif 000006
【図５】
2019170532.tif 000007
【図６】
2019170532.tif 000008
【図７】
2019170532.tif 000009